(57)【要約】      （修正有）【課題】猿が短時間で乗り越えることが困難でありながら、従来の電気柵より高さが低くても機能するので設置が容易である電気柵を提供する。【解決手段】地表に立設した絶縁物製の支柱１により、最上部が導電性ロープ２ｃで、その下に絶縁帯２ｂ、導電帯２ａ、絶縁帯２ｂをこの順序で配置した電気柵ネット２を、電気柵ネット２で囲まれる区画の内側に支柱１が位置するように張設し、電気柵ネット２の下端を血表９に留め具４により固定する。電気柵ネット２の外側に、小さい網目の金網５を、直交クランプ６等を使って張設し、金網５の上端と電気柵ネット２の絶縁帯２ｂ及び金網５の下端と電気柵ネット２の絶縁帯２ｂを、結束バンド７等により緊縛する。導電性ロープ２ｃと導電帯２ａを衝撃高圧電源３のプラス側に、金網５と地表９を衝撃高圧電源３のマイナス側に接続する。【選択図】図４
0003188988.tif 000002
【実用新案登録請求の範囲】
【請求項１】
田畑の周囲に導電性の網を設置しその導電部に衝撃高圧を印加して、侵入しようとする猿、猪、ハクビシンなどの害獣を感電させることによって撃退する電気柵において、以下のように構成した電気柵
（ア）地表に数ｍ間隔に立設した絶縁物製の支柱により、最上部が導電性ロープで、          その下に絶縁物製の撚線で作られた絶縁帯、絶縁物製の繊維に金属線を撚り込          んだ撚線で作られた導電帯、絶縁物製の撚線で作られた絶縁帯をこの順序で配          置した電気柵ネットを、電気柵ネットで囲まれる区画の内側に支柱が位置する          ように張設し、電気柵ネットの下端を地表に数十ｃｍの間隔で固定する。
（イ）上記の支柱により電気柵ネットの外側に、「大人のニホンザルの手の指の平均          的な太さ」より小さい網目の金網を、電気柵ネットの導電性ロープより数十ｃ          ｍ下に金網の上端が位置し、電気柵ネットの導電帯より数十ｃｍ上に金網の下          端が位置するように張設し、金網の上端と電気柵ネットの絶縁帯及び金網の下          端と電気柵ネットの絶縁帯をそれぞれ数十ｃｍの間隔で緊縛する。
（ウ）電気柵ネットの導電性ロープと導電帯を衝撃高圧電源のプラス側に、金網と地          表を衝撃高圧電源のマイナス側に接続する。
【請求項２】
絶縁物製の繊維に金属線を撚りこんだ糸を使って織られた導電性シートを、金網の代わりに張設した請求項１の電気柵
【請求項３】
電気柵ネットの下端が地表に到達した後にＬ字型に曲げて、電気柵ネットで囲まれた区画の外側の地表を数十ｃｍの幅で覆うようにした請求項１及び請求項２の電気柵
【考案の詳細な説明】
【考案の詳細な説明】
【技術分野】
【０００１】本考案は、畑の周囲に導電性の網を設置しその導電部に衝撃高圧を印加して、侵入しようとする猿、猪、ハクビシンなどの害獣を感電させることによって撃退する電気柵に関するものである。
【背景技術】
【０００２】近年山間地域の畑において猿、猪、ハクビシンなどの害獣の侵入による被害が多発しているため、畑の作物の周囲に電気柵を設置することが行なわれている。この電気柵は図１に示すように、地表に数ｍ間隔に立設された絶縁物製の支柱１により、絶縁物製の撚線で作られた絶縁帯２ｂと絶縁物製の繊維に金属線を撚り込んだ撚線で作られた導電帯２ａを交互に配置した電気柵ネット２を畑の周囲に張設し、その導電帯２ａに衝撃高圧電源３より発生する６，０００Ｖ〜７，０００Ｖの衝撃高圧を印加するものである。【０００３】従来の電気柵においては、以下のような問題があった。
（１）人体への安全上の配慮から、導電部に印加する高電圧は連続ではなく断続的に          印加される。そのために運動能力に優れた猿は、約１秒間の非通電時のうちに          電気柵ネット２をよじ登り感電せずに乗り越えてしまう。
（２）撓み易い電気柵ネット２に比べて支柱１は掴み易いので、非通電時のうちに猿          がこの支柱１を掴んでよじ登り感電せずに電気柵を乗り越えてしまう。
（３）猿が電気柵ネット２をよじ登る間に感電させるしくみなので、電気柵ネット２          の高さは大人の猿がジャンプして手が届く最大の高さ２ｍ以上でなければなら          ず、そのために電気柵の設置が困難である。
【考案の開示】
【考案が解決しようとする課題】
【０００４】そこで本考案が解決しようとする課題は、猿が短時間で乗り越えることが困難でありながら、従来の電気柵より高さが低くても機能するので設置が容易である電気柵を提供することにある。
【課題を解決するための手段】
【０００５】図２の正面図と図４の断面図に示すように、以下のように電気柵を構成した。今後この明細書ではこの方式を「金網方式」と呼ぶことにする。
（１１）地表に数ｍ間隔に立設した絶縁物製の支柱１により、最上部が導電性ロープ            ２ｃで、その下に絶縁物製の撚線で作られた絶縁帯２ｂ、絶縁物製の繊維に            金属線を撚り込んだ撚線で作られた導電帯２ａ、絶縁物製の撚線で作られた            絶縁帯２ｂをこの順序で配置した電気柵ネット２を、電気柵ネット２で囲ま            れる区画の内側に支柱１が位置するように張設し、電気柵ネット２の下端を            地表９に数十ｃｍの間隔で留め具４により固定する。
（１２）上記の支柱１により電気柵ネット２の外側に、「大人のニホンザルの手の指            の平均的な太さ」より小さい網目の金網５を、電気柵ネット２の導電性ロー            プ２ｃより数十ｃｍ下に金網５の上端が位置し、電気柵ネット２の導電帯２            ａより数十ｃｍ上に金網５の下端が位置するように工事用足場組立に使用す            る直交クランプ６等を使って張設し、金網５の上端と電気柵ネット２の絶縁            帯２ｂ及び金網５の下端と電気柵ネット２の絶縁帯２ｂを、それぞれ結束バ            ンド７等により数十ｃｍの間隔で緊縛する。
（１３）電気柵ネット２の導電性ロープ２ｃと導電帯２ａを衝撃高圧電源３のプラス            側に、金網５と地表９を衝撃高圧電源３のマイナス側に接続する。【０００６】図３の正面図と図５の断面図に示すように、「金網方式」の金網５の代わりに導電性シート８を用いて、同様の電気柵を構成することができる。今後この明細書ではこの方式を「シート方式」と呼ぶことにする。導電性シート８とは、絶縁物製の繊維に金属線を撚りこんだ糸を使って織られたシートである。電気柵を設置した地表に草が生えることを防止し、かつ電気柵による害獣への感電を阻害しない電気柵用防草シートとして既に開発されている。「シート方式」の図面は「金網方式」の図面とほぼ同じである。「金網方式」との違いは金網５の代わりに導電性シート８を用いていることと、導電性シート８は金網５より軽くて可撓性があるので、張設するために直交クランプ６を必要とせず結束バンド等で行えることだけである。【０００７】図６のように電気柵ネット２の下端が地表９に到達した後にＬ字型に曲げて、電気柵ネット２で囲まれた区画の外側の地表９を数十ｃｍの幅で覆うようにした方が、猪やハクビシンが土を掘って電気柵の下を潜り抜けるのを防止できる。
【考案の効果】
【０００８】本考案の「金網方式」の効果は以下の通りである。
（２１）支柱１は「大人のニホンザルの手の指の平均的な太さ」より小さい網目の金            網５で囲まれた区画の内側にあるので、区画の外側にいる猿１０は支柱１を            掴んでよじ登ることはできない。
（２２）大人の猿１０は、「大人のニホンザルの手の指の平均的な太さ」より小さい            網目の金網５をよじ登れない。また大人の猿１０がジャンプして手が届く最            大の高さが２ｍ、大人の猿１０の身長が９０ｃｍだから、電気柵ネット２の            導電性ロープ２ｃの高さが少なくても１．１ｍ以上、余裕を見て１．５ｍ以            上高ければ大人の猿１０は電気柵ネット２の導電性ロープ２ｃを飛び越える            ことができない。そこで大人の猿１０は金網５に飛びついた後、片手で衝撃            高圧電源３のマイナス側に接続されている金網５の上端を掴み、別の手で金            網５の上方にあり衝撃高圧電源３のプラス側に接続されている電気柵ネット            ２の導電性ロープ２ｃを掴んで、電気柵を乗り越えようとする。または両手            で電気柵ネット２の導電性ロープ２ｃを掴んで、足が金網５に触れている状            態から電気柵を乗り越えようとする。しかし金網５の網目が大人の猿１０の            足の指の太さより小さいので大人の猿１０は足の指で金網５を掴むことがで            きず、この状態がしばらく続きその間に感電して撃退される。したがって電            気柵ネット２の導電性ロープ２ｃの高さが１．５ｍ以上であれば電気柵の役            目を果たし、図１における従来の電気柵のように電気柵ネット２の高さを２            ｍ以上にする必要が無いので電気柵の設置が容易となる。
（２３）「大人のニホンザルの手の指の平均的な太さ」より細い指を持つ子供の猿１            ０はこの金網５を掴んでよじ登れる。子供の猿１０も片手で金網５の上端を            掴み別の手で金網５の上方にある電気柵ネット２の導電性ロープ２ｃを掴ん            でから、電気柵を乗り越えようとする。または両手で電気柵ネット２の導電            性ロープ２ｃを掴んで、足が金網５に触れている状態から電気柵を乗り越え            ようとする。そのためには足の指の太さよりわずかに大きい金網５の網目に            足の指を差し込んだり、又その差し込んだ足の指を抜いたりしなければなら            ず時間がかかるので、その間に感電して撃退される。
（２４）金網５の下方は電気柵ネット２で閉塞されているので、猿、猪、ハクビシン            等は金網５の下方を潜り抜けることはできない。【００１０】本考案の「シート方式」の効果は以下の通りである。
（３１）支柱１は導電性シート８で囲まれた区画の内側にあるので、区画の外側にい            る猿１０は支柱１を掴んでよじ登ることはできない。
（３２）猿１０は導電性シート８をよじ登れない。また大人の猿１０がジャンプして            手が届く最大の高さが２ｍ、大人の猿１０の身長が９０ｃｍだから、電気柵            ネット２の導電性ロープ２ｃの高さが少なくても１．１ｍ、余裕を見て１．            ５ｍ以上高ければ大人の猿１０は電気柵ネット２の導電性ロープ２ｃを飛び            越えることができない。そこで猿１０は導電性シート８に飛びついて、片手            で衝撃高圧電源３のマイナス側に接続されている導電性シート８の上端を掴            んで、別の手で導電性シート８の上方にあり衝撃高圧電源３のプラス側に接            続されている電気柵ネット２の導電性ロープ２ｃを掴んでから、電気柵を乗            り越えようとする。または両手で電気柵ネット２の導電性ロープ２ｃを掴ん            で、足が導電性シート８に触れている状態から電気柵を乗り越えようとする            。しかし猿１０は導電性シート８に足の指をかけることができないのでこの            状態がしばらく続き、その間に感電して撃退される。したがって電気柵ネッ            ト２の導電性ロープ２ｃの高さが１．５ｍ以上であれば電気柵の役目を果た            し、図１における従来の電気柵のように電気柵ネット２の高さを２ｍ以上に            する必要が無いので電気柵の設置が容易となる。
（３３）導電性シート８の下方は電気柵ネット２で閉塞されているので、猿、猪、ハ            クビシン等は導電性シート８の下方を潜り抜けることはできない。
【考案を実施するための最良の形態】
【００１１】本考案を実施するための最良の形態は以下の通りである。
（４１）「大人のニホンザルの手の指の平均的な太さ」のデータは公開されていない            が、電気柵の金網５は網目６ｍｍ以下、線径０．７ｍｍの亜鉛メッキ鉄線の            亀甲金網、又は網目６ｍｍ以下、線径０．５７ｍｍのステンレス線の亀甲金            網が適当と思われる。
（４２）金網５を支柱１に固定するには工事用足場組立に使用する直交クランプ６を            使うと作業がやり易い。
（４３）電気柵ネット２の最下部の絶縁帯２ｂは、子供の猿やハクビシンなどが通過            できないように網目が５ｃｍ以下で、又ハクビシンなどに容易に噛み切られ            ないように撚線の太さは５ｍｍ以上が望ましい。
【図面の簡単な説明】
【００１２】
【図１】既存の電気柵の正面図である。
【図２】本考案の「金網方式」の電気柵の正面図である。
【図３】本考案の「シート方式」の電気柵の正面図である。
【図４】本考案の「金網方式」の電気柵の鉛直方向の断面図である。
【図５】本考案の「シート方式」の電気柵の鉛直方向の断面図である。
【図６】請求項３の「金網方式」の電気柵の鉛直方向の断面図である。
【符号の説明】１  支柱、２  電気柵ネット、２ａ  電気柵ネットの導電帯、２ｂ  電気柵ネットの絶縁帯、２ｃ  電気柵ネットの導電性ロープ、３  衝撃高圧電源、４  留め具、５  金網、６  直交クランプ、７  結束バンド、８  導電性シート、９  地表、１０  猿
【図１】
0003188988.tif 000003
【図２】
0003188988.tif 000004
【図３】
0003188988.tif 000005
【図４】
0003188988.tif 000006
【図５】
0003188988.tif 000007
【図６】
0003188988.tif 000008
【手続補正書】
【提出日】平成25年11月21日(2013.11.21)
【手続補正１】
【補正対象書類名】実用新案登録請求の範囲
【補正対象項目名】請求項３
【補正方法】変更
【補正の内容】
【請求項３】
電気柵ネットの下端が地表に到達した後にＬ字型に曲げて、電気柵ネットで囲まれた区画の外側の地表を数十ｃｍの幅で覆うようにした請求項１または２に記載の電気柵